(57)【要約】【課題】ガス栓を容易に取り付けることができるビルトイン式ガスコンロを提供する。【解決手段】ガスコンロ本体４には、仕切り壁６Ａ，６Ｂを設ける。この仕切り壁６Ａ，６Ｂにより、ガスコンロ本体４の内部をガス燃焼器４１が設けられた第１の室７Ａと、ガス栓（図示せず）が設けられた第２の室７Ｂとに区分する。仕切り壁６Ａ，６Ｂ，第１の室７Ａ及び第２の室７Ｂは、ガスコンロ本体４のうちの、蓋体をガスコンロ本体４から取り外したときに上方に露出する部分に設ける。【選択図】図３
2014137211.tif 000002
【特許請求の範囲】
【請求項１】
上面部に装着口が開口する筐体と、内部にガス燃焼器が設けられ、少なくとも下部が上記装着口から上記筐体内に挿入された状態で上記筐体に着脱可能に取り付けられたガスコンロ本体と、上記ガスコンロ本体を上方から着脱可能に覆う蓋体とを備えたビルトイン式ガスコンロにおいて、
上記ガスコンロ本体の上記蓋体を取り外したときに上方に露出する部分には、上記ガス燃焼器にガスを供給するガス供給管を開閉するガス栓が設けられていることを特徴とするビルトイン式ガスコンロ。
【請求項２】
上記ガスコンロ本体には、上下に起立した仕切り壁が設けられ、この仕切り壁によって水平方向に区分された第１の室と第２の室とが上記ガスコンロ本体に設けられ、上記第１の室に上記ガス燃焼器が設けられ、上記第２の室に上記ガス栓が設けられていることを特徴とする請求項１に記載のビルトイン式ガスコンロ。
【請求項３】
上記仕切り壁が、その上端が上記蓋体の下面にほぼ接するように設けられていることを特徴とする請求項２に記載のビルトイン式ガスコンロ。
【請求項４】
上記第２の室には、ガス燃焼器に接続された接続口金が設けられ、上記仕切り壁には、上記第１の室と上記第２の室とを連通する貫通孔が設けられ、上記接続口金が、その上流側の端部を上記貫通孔に挿入した状態で、または貫通孔と対向した状態で配置され、上記接続口金の上流側の端部に上記ガス栓の下流側の端部が連結固定されていることを特徴とする請求項２又は３に記載のビルトイン式ガスコンロ。
【発明の詳細な説明】
【技術分野】
【０００１】
この発明は、ビルトイン式ガスコンロに関する。
【背景技術】
【０００２】
一般に、ビルトイン式ガスコンロは、筐体とガスコンロとを備えている。筐体の上面部には、装着口が形成されている。ガスコンロは、ガスコンロ本体と蓋体とを有している。ガスコンロ本体は、上面部が開放された深さの浅い箱状に形成されており、内部にはガスバーナ等のガス燃焼器が設けられている。ガスコンロ本体は、その下部が装着口から筐体の内部に挿入された状態で筐体に着脱可能に取り付けられている。筐体の内部空間のうちのガスコンロ本体より下側の部分が、食器等を収容するための収容空間になっている。蓋体は、ガスコンロ本体の上面部全体を覆っている。
【０００３】
従来のビルトイン式ガスコンロにおいては、ガスコンロ本体の下端面にガス導入口が設けられている。ガス導入口には、ガス栓が接続されている。ガス栓は、供給側のガス管に接続されている。したがって、ガス栓を開状態にすると、ガスがガス栓からガス導入口を介してガス燃焼器に供給される。
【０００４】
ガス導入口をガスコンロの下端面に設けると、ガス栓がガスコンロ本体の下側に配置されることになる。つまり、収容空間の上部にガス栓が配置されることになる。このため、収容空間の上部を有効に利用することができなくなり、収容空間のうちの実質的に利用可能な容積が大きく減少してしまうという問題があった。
【０００５】
そこで、下記特許文献１に記載のものにおいては、ガス導入口をガスコンロの背面に設け、これに対応してガス栓をガスコンロの後方に配置している。このように配置すると、ガス栓をガスコンロ本体の下面より上側に配置することができ、収容空間全体を有効に利用することができる。
【先行技術文献】
【特許文献】
【０００６】
【特許文献１】特開２００８−１１３８１７号公報
【発明の概要】
【発明が解決しようとする課題】
【０００７】
しかしながら、特許文献１に記載のビルトイン式ガスコンロにおいては、ガス栓をガス導入口に接続し難いという問題があった。すなわち、特許文献１に記載のビルトイン式ガスコンロにおいて、ガス栓をガス導入口に接続する場合、作業者は、まず筐体の前面に設けられた扉を開き、筐体の内部に上半身を頭から挿入する。その状態で、ガス栓のガス導入口への接続作業をする。しかし、筐体の内部は、作業者にとっては狭い空間であり、作業者はその狭い空間内でねじ回し等の接続作業を行わなければならない。これは、非常に困難な作業である。このため、ガス栓をガス導入口に接続し難く、ガス栓の接続作業に多大の労力と時間を要するという問題があった。
【課題を解決するための手段】
【０００８】
上記の問題を解決するために、この発明は、上面部に装着口が開口する筐体と、内部にガス燃焼器が設けられ、少なくとも下部が上記装着口から上記筐体内に挿入された状態で上記筐体に着脱可能に取り付けられたガスコンロ本体と、上記ガスコンロ本体を上方から着脱可能に覆う蓋体とを備えたビルトイン式ガスコンロにおいて、上記ガスコンロ本体の上記蓋体を取り外したときに上方に露出する部分には、上記ガス燃焼器にガスを供給するガス供給管を開閉するガス栓が設けられていることを特徴としている。
この場合、上記ガスコンロ本体には、上下に起立した仕切り壁が設けられ、この仕切り壁によって水平方向に区分された第１の室と第２の室とが上記ガスコンロ本体に設けられ、上記第１の室に上記ガス燃焼器が設けられ、上記第２の室に上記ガス栓が設けられていることが望ましい。
上記仕切り壁が、その上端が上記蓋体の下面にほぼ接するように設けられていることが望ましい。
上記第２の室には、ガス燃焼器に接続された接続口金が設けられ、上記仕切り壁には、上記第１の室と上記第２の室とを連通する貫通孔が設けられ、上記接続口金が、その上流側の端部を上記貫通孔に挿入した状態で、または貫通孔と対向した状態で配置され、上記接続口金の上流側の端部に上記ガス栓の下流側の端部が連結固定されていることが望ましい。
【発明の効果】
【０００９】
上記特徴構成を有するこの発明によれば、ガス栓が、ガスコンロ本体のうちの、蓋体をガスコンロ本体から取り外したときに上方に露出する部分に設けられているので、ガス栓の設置作業者は、筐体の外部に起立した状態でガス栓の接続作業を行うことができる。よって、ガス栓の接続作業を容易に行うことができる。
【図面の簡単な説明】
【００１０】
【図１】図１は、この発明に係るビルトイン式ガスコンロの一実施の形態を示す斜視図である。
【図２】図２は、図１のＸ−Ｘ線に沿う拡大断面図である。
【図３】図３は、同実施の形態において用いられているガスコンロ本体及び蓋体を示す斜視図である。
【図４】図４は、同ガスコンロ本体の平面図である。
【図５】図４は、図４のＸ−Ｘ線に沿う拡大断面図である。
【発明を実施するための形態】
【００１１】
以下、この発明を実施するための最良の形態を、図面を参照して説明する。
図１及び図２に示すように、ビルトイン式ガスコンロ１は、筐体２及びガスコンロ３を有している。
【００１２】
筐体２は、金属、硬質樹脂や木材などの板材からなるものであり、中空の直方体状に形成されている。筐体２には、その前面に出し入れ口２１が形成され、その上面に装着口２２が形成されている。出し入れ口２１及び装着口２２は、いずれも筐体２の内部に連なっている。
【００１３】
筐体２の内部の下部には、引き出し２３が閉位置と図１に示す開位置との間を前後方向へ移動可能に設けられている。引き出し２３の前板部は、引き出し２３の他の部分より上方まで延びており、扉２４として共用されている。扉２４は、引き出し２３を閉位置に移動させると、開口部２１の上部を除く大部分を閉じる。なお、引き出し２３は、筐体２から前方へ取り出すことも可能である。また、扉２４に代えて、例えば観音開きの扉が用いられることもある。その場合には、引き出し２３が用いられず、筐体２の下板部（図示せず）に食器その他の物品が載置される。
【００１４】
筐体２の上部には、ガスコンロ３が着脱可能に取り付けられている。ガスコンロ３は、ガスコンロ本体４及び蓋体５を有している。
【００１５】
ガスコンロ本体４は、金属製の板材からなるものであり、底板部４ａ、前板部４ｂ、左右の側板部４ｃ，４ｄ及び背板部４ｅにより、上面部が開放された深さの浅い箱状に形成されている。ガスコンロ本体４の内部には、ガスバーナ４１やグリル（図示せず）等のガス燃焼器が設けられている。
【００１６】
図２及び図３に示すように、ガスコンロ本体４の上端部には、その全周にわたって延びるフランジ部４２が形成されている。このフランジ部４２には、ゴムその他の比較的軟質の樹脂からなるパッキン４３が設けられている。そして、フランジ部４２が筐体２の上板部の装着口２２に隣接する部分にパッキン４３を介して載置されている。これにより、ガスコンロ本体４が筐体２に着脱可能に取り付けられている。
【００１７】
ガスコンロ本体４が筐体２に取り付けられた状態においては、ガスコンロ本体４のうちのフランジ部４２より下側の部分が装着孔２２を通して筐体２の内部に挿入されている。ガスコンロ本体４の下面より下側に位置する筐体２の内部空間が、食器等を収容するための収容空間Ｓとされている。また、ガスコンロ本体４の前板部４ｂは、扉２４から上側に位置する出し入れ口２１の上部から前方に露出しており、当該前板部４ｂにはガス燃焼器を着火、消火させるための摘み４４が設けられている。
【００１８】
蓋体５は、金属製の板材からなるものであり、図２に示すように、フランジ部４２より一回り大きく形成されている。蓋体５の周縁部は、全周にわたってパッキン４３に載置されている。つまり、筐体２の上板部にパッキン４３を介して載置されている。したがって、蓋体５は、ガスコンロ本体４に対して上下方向へ着脱可能である。
【００１９】
蓋体５がフランジ部４２より一回り大きく形成されているので、蓋体をパッキン４３に載置した状態においては、ガスコンロ本体４全体が蓋体５によって上方から覆われることになり、ガスコンロ本体４が上方から目視されることがない。逆に、蓋体５をガスコンロ本体４から取り外すと、ガスコンロ本体４全体が上方に露出する。
【００２０】
蓋体５の各ガスバーナ４１と対向する部分には、蓋体５を上下に貫通する貫通孔５１がそれぞれ形成されている。蓋体５の貫通孔５１が形成された部分には、五徳５２が着脱可能に取り付けられている。なお、符号５３は排気用のスリットであり、グリルにおいて発生した排気がガスコンロ本体４の内部の後端部に設けられた排気口４５から排出され、さらにスリット５３を通ってガスコンロ３の外部に排出される。
【００２１】
図３〜図５に示すように、ガスコンロ本体４の左後ろの隅部には、仕切り壁６Ａ，６Ｂが設けられている。仕切り壁６Ａ，６Ｂは、ガスコンロ本体４の右後ろの隅部に設けてもよい。仕切り壁６Ａ，６Ｂは、金属板からなるものであり、いずれも底板部４ａに立設されている。図５に示すように、仕切り壁６Ａ，６Ｂの高さは、底板部２ａから蓋体５の下面までの距離とほぼ同一に設定されている。したがって、蓋体５をパッキン４３上に載置すると、仕切り壁６Ａ，６Ｂの上端面が蓋体５の下面にほぼ接する。
【００２２】
仕切り壁６Ａは、左側板部４ｃから背板部４ｅに沿って右方へ水平に延びている。他方の仕切り壁６Ｂは、背板部４ｅから左側壁部４ｃに沿って前方へ水平に延びている。仕切り壁６Ａの右端部と仕切り壁６Ｂの前端部とは、互いに交差して一体化されている。つまり、仕切り壁６Ａ，６Ｂは、一枚の金属板を直角に折り曲げることによって構成されている。仕切り壁６Ａ，６Ｂは、別体に形成してもよい。
【００２３】
ガスコンロ本体４に仕切り壁６Ａ，６Ｂが設けられることにより、ガスコンロ本体４の内部が、平面視において二つの室に区分されている。第１の室７Ａと第２の室７Ｂである。第１の室７Ａは、ガスコンロ本体４の内部空間のうちの第２の室７Ｂを除いた部分であり、ガスコンロ本体４の内部空間の大部分を占める。第１の室７Ａには、燃焼器、その他ガスコンロとして必要な部品が設けられている。第２の室７Ｂは、平面視においてフランジ４２のうちの左後隅部に位置する部分と仕切り壁６Ａ，６Ｂとによって囲まれる空間である。第２の室７Ｂには、後述するガス栓９が設けられている。
【００２４】
ここで、ガスコンロ本体４の底板部４ａ、左側板部４ｃ及び背板部４ｅのうちの第２の室７Ｂに臨む部分は、切り落とされている。この結果、第２の室７Ｂは、下方、左方、後方及び上方に向かって開放されており、実質的にはガスコンロ本体４の内部（第１の室７Ａ）に対し仕切り壁６Ａ，６Ｂによって区分された外部になっている。底板部４ａ、左側板部４ｃ及び背板部４ｅのうちの第２の室７Ｂに臨む部分は、必ずしも切り落とす必要がない。切り落とさない場合には、第２の室７Ｂがガスコンロ本体４の内部空間の一部を実質的に構成することになる。第２の室７Ｂの上側の開放部は、蓋体５によって遮蔽されている。したがって、蓋体５をガスコンロ本体４から取り外すと、第２の室７Ｂが上方に向かって外部に開放され、第２の室７Ｂの内部が目視可能になる。
【００２５】
図５に示すように、仕切り壁６Ａには、これを前後方向に貫通する貫通孔６１が形成されている。貫通孔６１は、仕切り壁６Ｂに設けてもよい。貫通孔６１により第１の室７Ａと第２の室７Ｂとが連通させられている。貫通孔６１には、接続口金４６が挿通されている。接続口金４６の上流側端部（図５において左側端部）は、第２の室７Ｂ内に突出させられている。接続口金４５の上流側端部には、テーパ雌ねじ孔４６ａが形成されている。このテーパ雌ねじ部４６ａには、管状をなす継手８の下流側の端部（図５において右側の端部）が螺合固定されている。接続口金４６の下流側の端部は、第１の室７Ａ内に入り込んでおり、ガス管（図示せず）を介してガス燃焼器に接続されている。
【００２６】
接続口金４６は、その全体が第１の室７Ａ内に位置するように配置してもよい。そのように配置する場合には、接続口金４６を仕切り壁６Ａに接近させるとともに、接続口金４６の上流側の端面が貫通孔６１と対向するように配置する。特に、テーパ雌ねじ孔４６ａの軸線を貫通孔６１の軸線とほぼ一致させることが望ましい。
【００２７】
第２の室７Ｂの内部には、ガス栓９が設置されている。ガス栓９の下流側の端部には、ナット９１が抜け止め状態で回転可能に設けられている。このナット９１は、継手８の上流側の端部に螺合固定されている。この結果、ガス栓９の下流側の端部が接続口金４６に継手８を介して接続されている。ガス栓９の上流側の端部には、フレキシブルガス管からなるガス供給管Ｇの下流側の端部が接続されている。ガス供給管Ｇとガス栓９とは、周知のワンタッチ接続機構によって接続されるようになっている。ガス供給管Ｇの上流側の端部は、筐体２の背板部に設けられた挿通孔２５（図２参照）を貫通して筐体２の外部に引き出されており、元栓（図示せず）に接続されている。したがって、ガス栓９のハンドル９２を閉位置から開位置に回転させてガス栓９を開状態にすると、ガスが接続口金４６を通って各ガス燃焼器に接続されたガス管に供給される。その状態でガスコンロ本体４の摘み４４を着火操作すると、当該摘み４４に対応するガス燃焼器が燃焼を開始する。勿論、摘み４４を消火操作すると、ガス燃焼器の燃焼が終了する。
【００２８】
上記構成のビルトイン式ガスコンロ１において、ガスコンロ３にガス栓９を接続する場合には、ガスコンロ本体４を筐体２に取り付ける。その後、蓋体５をガスコンロ本体４から取り外す。勿論、蓋体５は、ガスコンロ本体４を筐体２に取り付ける前に予めガスコンロ本体４から取り外しておいてもよい。蓋体５がガスコンロ本体４から取り外された状態では、第２の室７Ｂが上方に露出する。
【００２９】
その後、まず継手８を第２の室７Ｂ内にその上方から挿入し、接続口金４６に螺合固定する。継手８は、ガスコンロ２を筐体２に取り付ける前に予め螺合固定しておいてもよい。次に、挿通孔２５を貫通したガス供給管Ｇの下流側端部を第２の室７Ｂから上方に引き出し、ガス栓９の上流側端部に接続する。接続後、ガス栓９及びガス供給管Ｇの下流側端部を第２の室７Ｂ内に戻す。そして、ナット９１を継手８に螺合させて締め付け、ガス栓９の下流側端部を接続口金４６に継手８を介して接続する。これにより、ガス栓９の設置作業が完了する。
【００３０】
ガス栓９の接続口金４６への接続は、ナット９１を継手８に螺合させることによって行われる。ここで、ガス栓９が収容される第２の室７Ｂは、上方に向かって開放されている。したがって、作業者は、筐体２の外部において起立した状態でナット９１を継手８に螺合させることができる。すなわち、一方の手でガス栓９を支持し、他方の手でナット９１を継手８に螺合させることができる。その後、スパナ等のねじ回し工具（図示せず）を第２の室７Ｂの上方において把持してナット９１の締め付け操作を行うことができる。このように、ガス栓９の接続口金４６への接続作業は、作業者が筐体２の外部で行うことができるので、接続作業を容易に行うことができる。
【００３１】
また、ガス栓９が設置された第２の室７Ｂが、ガス燃焼器が設けられた第１の室７Ａに対し仕切り壁部６Ａ，６Ｂによって仕切られているので、ガス燃焼器が発する熱がガス栓９に伝達する量を少なくすることができる。特に、仕切り壁６Ａ，６Ｂの上端が蓋体５の下面にほぼ接しているので、第１の室７Ａ内の熱は、ほとんど第２の室７Ｂ内に流入することがない。したがって、ガス栓９が熱せられるような事態をより少なくすることができる。これにより、ガス栓９の内部に設けられた潤滑油やシール部材が早期に劣化することを防止することができる。
【００３２】
なお、この発明は、上記の実施の形態に限定されるものでなく、その要旨を逸脱しない範囲において各種の変形例を採用することができる。
例えば、上記の実施の形態においては、ガスコンロ本体４に仕切り壁６Ａ，６Ｂを設け、ガスコンロ本体４の内部を第１の室７Ａと第２の室７Ｂとに区分しているが、仕切り壁６Ａ，６Ｂは必ずしも設ける必要がない。その場合には、ガスコンロ本体４の内部のうちの、蓋体５を取り外したときに上方に露出する部分にガス栓９を設ければよい。
また、上記の実施の形態においては、ガス栓９を接続口金４６に継手８を介して接続しているが、ガス栓９は接続口金４６に直接接続してもよい。
【符号の説明】
【００３３】
Ｇ    ガス供給管
１    ビルトイン式ガスコンロ
２    筐体
３    ガスコンロ
４    ガスコンロ本体
５    蓋体
６Ａ    仕切り壁
６Ｂ    仕切り壁
７Ａ    第１の室
７Ｂ    第２の室
９    ガス栓
２２    装着口
４１    ガスバーナ（ガス燃焼器）
４６    接続口金
６１    貫通孔
【図１】
2014137211.tif 000003
【図２】
2014137211.tif 000004
【図３】
2014137211.tif 000005
【図４】
2014137211.tif 000006
【図５】
2014137211.tif 000007